(57)【要約】      （修正有）【課題】回転軸を対称点として非回転対称であるロータカバーにおいても、ロータカバーの回動時の重心を回転軸に一致させ、回動時の天井扇風機の揺動を軽減することを目的とする。【解決手段】本発明の天井に取付け可能な天井扇風機は、回転軸６と一致するシャフトと、前記シャフトに接続されたステータと、前記ステータの外周で前記シャフトを回転軸として回転するロータと、前記回転軸を対称点として非回転対称であり前記ロータに接続されるロータカバー１０と、前記ロータカバーに接続されて回動する羽根とを備え、非回転対称であるロータカバーを備える天井扇風機の揺動を軽減させるために、当該ロータカバーに回動時の重心を前記回転軸に一致させる錘部１６を設けたものである。【選択図】図５
2019027287.tif 000002
【特許請求の範囲】
【請求項１】
回転軸と一致するシャフトと、
前記シャフトに接続されたステータと、
前記ステータの外周で前記シャフトを回転軸として回転するロータと、
前記回転軸を対称点として非回転対称であり前記ロータに接続されるロータカバーと、
前記ロータカバーに接続されて回動する羽根と、を備え、
前記ロータカバーは、
当該ロータカバーの回動時の重心を前記回転軸に一致させる錘部を備えた天井扇風機。
【請求項２】
前記錘部は、
前記回転軸を通って前記ロータカバーを一方と他方とに分割する分割直線の一方のみに設けられる錘部Ａと、
前記一方と前記他方とに分割して設けられる複数の錘部Ｂと、を備える請求項１記載の天井扇風機。
【請求項３】
前記錘部Ｂは、前記回転軸を中心として周方向に等間隔に設けられた請求項２に記載の天井扇風機。
【請求項４】
前記錘部Ｂは、前記一方と前記他方とに同数設けた請求項２または３に記載の天井扇風機。
【請求項５】
前記複数の錘部Ｂの合計重量は、前記錘部Ａの重量よりも小さい請求項２から４のいずれかに記載の天井扇風機。
【請求項６】
前記羽根は、前記ロータカバーに３枚備えられた請求項１から５のいずれかに記載の天井扇風機。
【発明の詳細な説明】
【技術分野】
【０００１】
本発明は、天井から吊り下げられる天井扇風機に関する。
【背景技術】
【０００２】
従来の天井扇風機においては、回転軸と一致するシャフトと、シャフトに接続されたステータと、ステータの外周でシャフトを回転軸として回転するロータと、ロータに接続されるロータカバーと、ロータカバーに接続されて回転する羽根とを備え、回転軸を対称点として回転対称であるため、重心と回転軸が一致したものであった。
【先行技術文献】
【特許文献】
【０００３】
【特許文献１】特開２０１０−１２７２１５号公報
【発明の概要】
【発明が解決しようとする課題】
【０００４】
このような従来の天井扇風機では、回動時の天井扇風機の揺動を軽減させるため、回転軸を対称点として回転対称であるロータカバーを採用している。このため、外観となるロータカバーの形状が回転対称形状に限定されてしまうという課題がある。しかも、既存機種との差別化のために、回転対称形状の範囲でさらにデザイン性を高めることが要求されている。
【０００５】
本発明は上記課題を解決するもので、非回転対称であるロータカバーを採用しても、ロータカバーの回動時の重心を回転軸に容易に一致させ、回動時の天井扇風機の揺動を軽減することができる天井扇風機を提供することを目的とする。
【課題を解決するための手段】
【０００６】
そして、この目的を解決するために、本発明に係る天井扇風機は、回転軸と一致するシャフトと、前記シャフトに接続されたステータと、前記ステータの外周で前記シャフトを回転軸として回転するロータと、前記回転軸を対称点として非回転対称であり前記ロータに接続されるロータカバーと、前記ロータカバーに接続されて回動する羽根とを備え、前記ロータカバーは、当該ロータカバーの回動時の重心を前記回転軸に一致させる錘部を備えることを特徴としたものであり、これにより所期の目的を達成するものである。
【発明の効果】
【０００７】
本発明によれば、非回転対称であるロータカバーを採用しても、ロータカバーの回動時の重心を回転軸に容易に一致させることができるため、回動時の天井扇風機の揺動を軽減することができる。
【図面の簡単な説明】
【０００８】
【図１】本発明に係る天井扇風機の側面図。
【図２】本発明に係る天井扇風機が備えるモータ部の展開図。
【図３】本発明に係る天井扇風機の側面図。
【図４】本発明に係る天井扇風機が備えるモータ部の斜視図。
【図５】本発明に係るモータ部が備えるロータカバーの斜視図。
【図６】本発明に係るモータ部が備えるロータカバーの平面図。
【発明を実施するための形態】
【０００９】
以下、本発明の実施の形態について図面を参照しながら説明する。なお、以下の実施の形態は、本発明を具体化した一例であって、本発明の技術的範囲を限定するものではない。また、全図面を通して、同一の部位については同一の符号を付して二度目以降の説明を省略している。
【００１０】
（実施の形態１）
本発明に係る天井扇風機１の側面図を図１に示す。
【００１１】
図１に示すように、天井扇風機１は連結部２と、モータ部３と、羽根４とを備えている。
【００１２】
連結部２は、一端を天井５に固定され、他端にモータ部３を接続される。連結部２は、中空円筒形の棒状であり、内部にモータ部３に電力を供給する電力線や、モータ部３を制御するための信号を送受信する制御線等が挿入されている。
【００１３】
モータ部３は、連結部２の他端に接続され、電力を供給されることで回転駆動するが詳細は後述する。
【００１４】
羽根４は、モータ部３の後述するロータ９に接続され、ロータ９の回転によって回転することで連結部２の軸方向、言い換えると鉛直下方に向けて送風するが詳細は後述する。
【００１５】
続いて、図２を用いてモータ部３の詳細について説明する。なお図２は、天井扇風機１が備えるモータ部３の展開図である。
【００１６】
図２に示すように、モータ部３は、シャフト７と、ステータ８と、ロータ９と、ロータカバー１０とを備える。
【００１７】
シャフト７は、中空棒状であり、天井扇風機１を天井に設置した際の上端が連結部２に接続される。シャフトは、軸方向における中心部がモータ部３の回転軸６と一致する。
【００１８】
ステータ８は、略円筒形状であり、円筒形状における円の中心部を回転軸６と一致させ、この中心部をさらにシャフト７と一致させて当該シャフト７に接続される。ステータ８は、外周を複数のティース部で覆われている。ステータ８は、各ティース部に樹脂製形のインシュレータを介して三相の巻線Ｕ、Ｖ、Ｗが巻回して施され、当該三相の巻線Ｕ、Ｖ、Ｗに通電することにより磁界を発生する。
【００１９】
ロータ９は、有蓋中空円筒形状を有し、内面に複数の磁石を備えている。ロータ９は、内面の磁石をティース部に対向させた状態でステータ８を内部空間に格納する。ロータ９は、ステータ８が発生する磁界の影響を受けることで磁石が吸引、反発し、回転軸６を中心として回動する。ロータ９は、外周にロータカバー１０を固定するためのロータカバー固定部３０を備えている。
【００２０】
ロータカバー固定部３０は、ロータ９の外周に等間隔に複数個（ここでは３個）設けられている。
【００２１】
ロータカバー１０は、天井扇風機１を天井に設置した状態において下面に化粧面を有し、上面中心部にシャフト７の下方端部と接続される接続部を備えて当該接続部がシャフト７に回動可能に固定される。ロータカバー１０は、上面中心部を中心として外周側にロータ９とに固定されるロータ固定部３１と、羽根取付け部１１とを備えている。
【００２２】
ロータ固定部３１は、上面中心部を中心として円周上に等間隔で複数個（ここでは３個）設けられている。ロータ固定部３１は、ロータカバー固定部３０とそれぞれ係合することで、ロータカバー１０とロータ９とを一体として、内部に格納されたステータ８に対して回動可能に固定される。
【００２３】
羽根取付け部１１は、上面中心部を中心として円周上に等間隔で複数個（ここでは６個）設けられている。羽根取付け部１１は、２個一組として１枚の羽根４を、すなわち計３枚の羽根をロータカバー１０の上面に着脱可能に固定する。つまり、羽根４は、ロータカバー１０を介してロータ９に固定される。
【００２４】
なお、ロータカバー１０の詳細については後述する。
【００２５】
続いて、図３を用いて羽根４の固定状態の詳細について説明する。なお図３は、天井扇風機１の側面図である。
【００２６】
図３に示すように、羽根４は、取付け時、送風に適した角度に傾斜するように傾斜形状を有している。具体的には、本発明の天井扇風機１の回転方向１２は下方から見て反時計回りであるため、羽根４は、羽根４の短手方向において、回転方向１２に対して前方側の端縁１３よりも後方側の端縁１４が低くなる傾斜形状となっている。
【００２７】
次に、回転軸６を対称点として非回転対称であるロータカバー１０について説明する。なお図４は、モータ部３の斜視図である。
【００２８】
図４に示すように、モータ部３に備えるロータカバー１０は、例えばデザイン性を優先し、水平面上において、回転軸６を対称点として回転対称でない形状、つまり非回転対称形状を有する。従って、回動時の重心と回転軸６が一致せず、この状態では回転時に大きく揺動してしまう。そしてロータカバー１０には傾斜形状を有する羽根４が接続されるため、ロータカバー１０において羽根４と近接する羽根近傍部１５は羽根４の傾斜形状に沿った形状となる。つまり、ロータカバー１０は、回転軸６を通ってロータカバー１０を一方と他方とに分割するどのような分割直線を引いた場合であっても、線対称形状とならない。
【００２９】
続いて、図５及び図６を用いて回転時の揺動に対する対応について詳しく説明する。なお、図５はロータカバー１０の斜視図、図６はロータカバー１０の平面図である。
【００３０】
図５、図６に示すように、天井扇風機１は、非回転対称形状であるロータカバー１０の上面に錘部１６を備える。
【００３１】
錘部１６は、ロータカバー１０の回転時の重心を回転軸６に一致させるための錘であり、錘部Ａ１７と、錘部Ｂ１８とを備える。
【００３２】
錘部Ａ１７は、ロータカバー１０の非回転対称形状であることによって生じた重心と回転軸６との大きなずれを大まかに修正する役割を有する。具体的には、錘部Ａ１７は、回転軸６を通ってロータカバー１０を一方と他方とに分割する分割直線１９の一方（図６における右側）のみに設けられる。
【００３３】
錘部Ｂ１８は、ロータカバー１０の羽根近傍部１５における羽根の傾斜形状に沿った形状による重心と回転軸６のずれ、及び／又は錘部Ａ１７では修正しきれなかった微小な重心と回転軸６とのずれを修正する役割を有する。
【００３４】
錘部Ｂ１８は、分割直線１９によって分割された一方と他方とに分割して設けられ、一方と他方とにそれぞれ同数設けられる。さらに、錘部Ｂ１８は、回転軸６を中心として周方向に等間隔に設けられる。また、錘部Ｂ１８の合計重量は、錘部Ａ１７の重量よりも小さい構成としている。
【００３５】
以上のように、錘部１６を非回転対称形状のロータカバー１０上に設けることで、重心問題はロータカバー１０のみで完結することができ、他の部分の設計時の重量配分において、ロータカバー１０の重心のずれを考慮する必要が不要となる。
【００３６】
また、錘部Ａ１７を備えなければ、ロータカバー１０の重心と回転軸のずれを全て錘部Ｂ１８により調整しなければいけなくなり、錘部Ｂ１８の形状が極端に大きくなってしまう。そして錘部Ｂ１８のみで全体の重量配分を調節しようとすると、微調整が困難になり結果的に重心のずれが生じてしまう。これに対して、錘部Ａ１７と錘部Ｂ１８とに分割し、重心のずれの大部分を錘部Ａ１７で吸収し、微細なずれは錘部Ｂ１８で調整できるため、重心のずれを非常に細かいところまで容易に調整することが可能となる。また、錘部Ａ１７を備えることにより、錘部Ｂ１８の大きさを抑えることができ、その分、例えば他の機能を搭載することにスペースを有効活用したり、モータ自体を小型化したりすることができるようになる。
【００３７】
また、錘部Ｂ１８を分割直線１９によって分割された一方と他方とに分割して同数設けられることにより、図６における左右方向及び上下方向の重心と回転軸６とのずれ修正のための錘部Ｂ１８の重量を分散させることができ、錘部Ｂ１８の高さを抑えることができる。
さらに、周方向に等間隔に設けられることにより、どのような形状のものであっても修正のための計算を容易に行うことができる。また、錘部Ｂ１８の合計重量を錘部Ａ１７の重量よりも小さい構成にすることで、先にも述べたように、錘部Ｂ１８付近においてスペースを有効活用することができる。
【００３８】
具体的には、約５００ｇの重量のロータカバー１０に対して、錘部Ｂ１８は、錘部Ｂａ２０と、錘部Ｂｂ２１と、錘部Ｂｃ２２と、錘部Ｂｄ２３とを前記で述べた配置で備え、錘部Ｂａ２０を錘部Ｂｂ２１、錘部Ｂｃ２２、錘部Ｂｄ２３と比較して高さを高くすることで、錘部Ｂａ２０の重量を０．２ｇ重くし、回動時の重心と回転軸６を一致させることができる。
【００３９】
なお、錘部Ａ１７と錘部Ｂ１８は、ロータカバー１０に脱着可能な構成であってもよいが、ロータカバー１０の成形時に同時に成形する構造であってもよい。
【００４０】
以上のように、錘部１６を設けることで、回動時の重心と回転軸６を一致させ、非回転対称形状であるロータカバー１０を備えた天井扇風機１においても揺動を軽減することができる。
【産業上の利用可能性】
【００４１】
本発明は家庭用や事務所用などの天井扇風機として有用である。
【符号の説明】
【００４２】
１    天井扇風機
２    連結部
３    モータ部
４    羽根
５    天井
６    回転軸
７    シャフト
８    ステータ
９    ロータ
１０    ロータカバー
１１    羽根取付け部
１２    回転方向
１３    前方側の端縁
１４    後方側の端縁
１５    羽根近傍部
１６    錘部
１７    錘部Ａ
１８    錘部Ｂ
１９    分割直線
２０    錘部Ｂａ
２１    錘部Ｂｂ
２２    錘部Ｂｃ
２３    錘部Ｂｄ
３０    ロータカバー固定部
３１    ロータ固定部
【図１】
2019027287.tif 000003
【図２】
2019027287.tif 000004
【図３】
2019027287.tif 000005
【図４】
2019027287.tif 000006
【図５】
2019027287.tif 000007
【図６】
2019027287.tif 000008